(57)【要約】【課題】専用の洗浄容器を必要とせず、コンパクトな形態で簡単に釣糸の全長を洗浄できるようにすることである。【解決手段】一対の側板部材５ａ、５ｂと別体で形成した胴部材２の胴径を拡縮可能とし、胴部材２の胴径を拡径した状態で釣糸を巻き取り、この巻き取り後に胴径を縮径して、巻き取った釣糸を緩ませた状態で洗浄することにより、緩ませた釣糸間に全長に亙って水が通る隙間を形成して、この状態で水を掛けるか、水を満たした洗面器やバケツ等の容器に入れて洗浄できるようにし、専用の洗浄容器を必要とせず、コンパクトな形態で簡単に釣糸の全長を洗浄できるようにした。【選択図】図２
2010035467.tif 000002
【特許請求の範囲】
【請求項１】
釣糸が巻き取られる胴部を形成する胴部材と、胴部材の胴部への釣糸の巻き取り幅を規制する側板部およびスプール回転用の回転軸が挿通される中心孔を形成する左右一対の側板部材とを別体で形成し、前記胴部材の胴径を拡縮可能として、この胴部材の胴径を拡径した状態で釣糸を巻き取り、この巻き取り後に胴部材の胴径を縮径して、巻き取った釣糸を緩ませた状態で洗浄するようにした釣糸洗浄用スプール。
【請求項２】
前記胴部材の胴径を拡縮可能とする手段が、前記胴部材を、円周方向の１箇所に切り離し部を設けた可撓性部材で形成し、前記左右一対の側板部材の内側面に、前記胴部材の両端部が嵌まり込む円周方向に延びる周方向溝を設けて、これらの周方向溝の内径側側面に溝底側へ拡径するテーパを付与し、前記一対の側板部材の間隔を狭めたときに、前記胴部材の両端部を前記周方向溝のテーパを付与した内径側側面に沿わせて溝底側へ嵌め込んで胴径を拡径させ、前記一対の側板部材の間隔を広めたときに、前記周方向溝に嵌まり込んだ胴部材の両端部を、前記テーパを付与した内径側側面に沿わせて溝縁側へ後退させて胴径を縮径させるものである請求項１に記載の釣糸洗浄用スプール。
【請求項３】
前記一対の側板部材の間隔を広めるように付勢する弾性部材を設けた請求項２に記載の釣糸洗浄用スプール。
【請求項４】
前記一対の側板部材の周方向溝に、周方向溝を円周方向で分割する複数の仕切りを設け、前記胴部材の両端部に、前記周方向溝の複数の仕切りが嵌まり込む複数の凹部を設けた請求項２または３に記載の釣糸洗浄用スプール。
【請求項５】
前記胴部材と前記一対の側板部材の少なくとも一方に、水切り用の孔またはスリットを設けた請求項１乃至４のいずれかに記載の釣糸洗浄用スプール。
【請求項６】
請求項１乃至５のいずれかに記載の釣糸洗浄用スプールを収納する開閉可能な収納口を有するカバー容器であって、前記収納される釣糸洗浄用スプールの中心孔に挿通される回転軸を通す貫通孔を設け、収納した前記釣糸を洗浄後の釣糸洗浄用スプールを前記回転軸の回りに回転させたときに、遠心脱水される水分を集めるようにした釣糸洗浄用スプールの脱水カバー容器。
【請求項７】
前記容器を薄膜シートで形成された袋状のものとした請求項６に記載の釣糸洗浄用スプールの脱水カバー容器。
【発明の詳細な説明】
【技術分野】
【０００１】
本発明は、使用後の釣糸を洗浄するための釣糸洗浄用スプールとその脱水カバー容器に関する。
【背景技術】
【０００２】
リールに巻き取られた使用後の釣糸は、空スプールに巻き替えられて保管されるが、そのまま保管すると、付着した塩分等の異物によって劣化し、寿命が短くなる。これらの異物は釣糸の全長に亙って付着するので、リールまたは空スプールに巻き取った状態で、水を掛けたり、水を満たした洗面器やバケツ等の容器に入れても、巻き取られた釣糸のごく表層部に付着する異物しか除去することができない問題がある。
【０００３】
このような問題に対して、リールに巻き取られた使用後の釣糸を、洗浄容器中の水に通して巻き取りドラムに巻き取り、釣糸の全長に付着した塩分等の異物を除去するように洗浄する釣糸の洗浄装置が提案されている（例えば、特許文献１、２参照）。
【０００４】
特許文献１に記載されたものでは、リールと巻き取りドラムを洗浄容器の外にセットし、洗浄容器の中に釣糸の案内経路を設けて、リールから巻き出される釣糸を巻き取りドラムに案内するようにしている。また、特許文献２に記載されたものでは、巻き取りドラムを、洗浄容器中の水に下部を浸漬させるようにセットし、洗浄容器の外にセットしたリールから巻き出される釣糸を、水に通して巻き取りドラムに巻き取るようにしている。
【０００５】
【特許文献１】実開昭６０−１０４０８４号公報
【特許文献２】特開２００５−２２４１３０号公報
【発明の開示】
【発明が解決しようとする課題】
【０００６】
特許文献１、２に記載された釣糸の洗浄装置は、専用の洗浄容器を設けて、釣糸を洗浄容器中の水に通しながら巻き取りドラムに巻き取る必要があり、装置が大掛かりなものとなるとともに、洗浄に手間がかかる問題がある。また、特許文献１に記載されたものは、洗浄容器の中に釣糸の案内経路を設ける必要もあるので、装置が複雑で高価なものになる。
【０００７】
そこで、本発明の課題は、専用の洗浄容器を必要とせず、コンパクトな形態で簡単に釣糸の全長を洗浄できるようにすることである。
【課題を解決するための手段】
【０００８】
上記の課題を解決するために、本発明の釣糸洗浄用スプールは、釣糸が巻き取られる胴部を形成する胴部材と、胴部材の胴部への釣糸の巻き取り幅を規制する側板部およびスプール回転用の回転軸が挿通される中心孔を形成する左右一対の側板部材とを別体で形成し、前記胴部材の胴径を拡縮可能として、この胴部材の胴径を拡径した状態で釣糸を巻き取り、この巻き取り後に胴部材の胴径を縮径して、巻き取った釣糸を緩ませた状態で洗浄する構成を採用した。
【０００９】
すなわち、一対の側板部材と別体で形成したスプールの胴部材の胴径を拡縮可能とし、胴部材の胴径を拡径した状態で釣糸を巻き取り、この巻き取り後に胴径を縮径して、巻き取った釣糸を緩ませた状態で洗浄することにより、緩ませた釣糸間に全長に亙って水が通る隙間を形成して、この状態で水を掛けるか、水を満たした洗面器やバケツ等の容器に入れて洗浄できるようにし、専用の洗浄容器を必要とせず、コンパクトな形態で簡単に釣糸の全長を洗浄できるようにした。
【００１０】
前記胴部材の胴径を拡縮可能とする手段は、前記胴部材を、円周方向の１箇所に切り離し部を設けた可撓性部材で形成し、前記左右一対の側板部材の内側面に、前記胴部材の両端部が嵌まり込む円周方向に延びる周方向溝を設けて、これらの周方向溝の内径側側面に溝底側へ拡径するテーパを付与し、前記一対の側板部材の間隔を狭めたときに、前記胴部材の両端部を前記周方向溝のテーパを付与した内径側側面に沿わせて溝底側へ嵌め込んで胴径を拡径させ、前記一対の側板部材の間隔を広めたときに、前記周方向溝に嵌まり込んだ胴部材の両端部を、前記テーパを付与した内径側側面に沿わせて溝縁側へ後退させて胴径を縮径させるものとすることができる。
【００１１】
前記一対の側板部材の間隔を広めるように付勢する弾性部材を設けることにより、胴部材の胴径を安定して縮径させた状態で、釣糸を洗浄することができる。
【００１２】
前記一対の側板部材の周方向溝に、周方向溝を円周方向で分割する複数の仕切りを設け、前記胴部材の両端部に、前記周方向溝の複数の仕切りが嵌まり込む複数の凹部を設けることにより、胴部材の胴部に巻き取られる釣糸が側板部材の周方向溝に入り込むのを防止することができる。
【００１３】
前記胴部材と前記一対の側板部材の少なくとも一方に、水切り用の孔またはスリットを設けることにより、洗浄時の釣糸間への水の通りをよくするとともに、脱水性をよくすることができる。
【００１４】
また、本発明の釣糸洗浄用スプールの脱水カバー容器は、上述した釣糸洗浄用スプールを収納する開閉可能な収納口を有する容器とし、前記収納される釣糸洗浄用スプールの中心孔に挿通される回転軸を通す貫通孔を設け、収納した前記釣糸を洗浄後の釣糸洗浄用スプールを前記回転軸の回りに回転させたときに、遠心脱水される水分を集めるようにしたので、遠心脱水時の水分の飛散を簡単に防止することができる。
【００１５】
前記容器を薄膜シートで形成された袋状のものとすることにより、脱水カバー容器をコンパクトに畳むことができる。
【発明の効果】
【００１６】
本発明の釣糸洗浄用スプールは、一対の側板部材と別体で形成したスプールの胴部材の胴径を拡縮可能とし、胴部材の胴径を拡径した状態で釣糸を巻き取り、この巻き取り後に胴径を縮径して、巻き取った釣糸を緩ませた状態で洗浄することにより、緩ませた釣糸間に全長に亙って水が通る隙間を形成して、この状態で水を掛けるか、水を満たした洗面器やバケツ等の容器に入れて洗浄できるようにしたので、専用の洗浄容器を必要とせず、コンパクトな形態で簡単に釣糸の全長を洗浄することができる。
【００１７】
また、本発明の釣糸洗浄用スプールの脱水カバー容器は、上述した釣糸洗浄用スプールを収納する開閉可能な収納口を有する容器とし、収納される釣糸洗浄用スプールの中心孔に挿通される回転軸を通す貫通孔を設け、収納した釣糸を洗浄後の釣糸洗浄用スプールを回転軸の回りに回転させたときに、遠心脱水される水分を集めるようにしたので、遠心脱水時の水分の飛散を簡単に防止することができる。
【発明を実施するための最良の形態】
【００１８】
以下、図面に基づき、本発明の実施形態を説明する。図１および図２（ａ）、（ｂ）に示すように、この釣糸洗浄用スプール１は、釣糸が巻き取られる胴部を形成する胴部材２と、胴部への釣糸の巻き取り幅を規制する側板部３およびスプール回転用の回転軸が挿通される中心孔４を形成する左右一対の側板部材５ａ、５ｂとが別体で形成されている。
【００１９】
図３に示すように、前記胴部材２は可撓性を有する樹脂で形成され、胴径が拡縮するように、円周方向の１箇所に切り離し部２ａが設けられており、軸方向の両端部から中央部近くまで切り込まれた複数の凹部２ｂが設けられ、中央部の内径面には、図２に示したように、一対の側板部材５ａ、５ｂの間隔を広めるように付勢する複数のコイルばね６を両側で受けるばね座片２ｃが設けられている。胴部材２の凹部２ｂは、水切り用の孔となるとともに、後述する一対の側板部材５ａ、５ｂの各周方向溝７に設けられた仕切り７ｂを嵌まり込ませるようになっている。
【００２０】
図４（ａ）、（ｂ）および図５（ａ）、（ｂ）に示すように、前記一対の側板部材５ａ、５ｂは樹脂で形成され、内側面に円周方向に延びて、胴部材２の両端部が嵌まり込む周方向溝７が設けられており、図２に示したように、中心孔４を形成する中心部の中心筒部８ａ、８ｂ同士をスライド自在に嵌合させるとともに、中心孔４の周りで一方の側板部材５ａに設けられた複数の筒孔部９に抜け止めして嵌挿されたねじ軸１０と、他方の側板部材５ｂに設けられた複数のナット座１１に固定されたナット１２とを螺合させて、その間隔を可変とするように、胴部材２と一体に組み立てられるようになっている。なお、側板部材５ａの外側面には、釣糸の末端を引掛ける引掛具１３が取り付けられている。また、側板部材５ｂの外側面には、回り止め用の溝１４が設けられている。
【００２１】
前記一対の側板部材５ａ、５ｂの各周方向溝７には、内径側側面７ａに溝底側へ拡径するテーパが付与されており、図２（ａ）に示したように、側板部材５ａ、５ｂ間の間隔を狭めたときに、胴部材２の両端部が内径側側面７ａに沿って溝底側へ嵌まり込み、胴部材２の胴径が拡径する。図２（ｂ）に示したように、側板部材５ａ、５ｂ間の間隔を広めたときは、胴部材２の両端部が内径側側面７ａに沿って溝縁側へ後退し、胴部材２の胴径が縮径する。また、各周方向溝７には、これらを円周方向で分割する複数の仕切り７ｂが設けられ、これらの仕切り７ｂが胴部材２の両端部の凹部２ｂに嵌まり込んで、胴部材２の胴部に巻き取られる釣糸が、各周方向溝７に入り込むのを防止するようになっている。
【００２２】
前記一対の側板部材５ａ、５ｂには、側板部３と周方向溝７の内径側とに複数の水切り孔１５ａ、１５ｂが設けられ、これらの内面側には、前記コイルばね６を受ける複数の筒状のばね座１６ａ、１６ｂが設けられている。側板部材５ａのばね座１６ａは、中心筒部８ａの周りで筒孔部９の間に設けられ、側板部材５ｂのばね座１６ｂは、中心筒部８ｂの周りで、ナット座１１の間に設けられている。
【００２３】
以下に、上述した釣糸洗浄用スプール１を用いて、使用後の釣糸を洗浄する手順を説明する。まず、図６に示すように、釣糸洗浄用スプール１を中心孔４に、テーブル等に固定したスプールスタンド２１の回転軸２２を嵌挿し、回転軸２２の基部に取り付けた止め具２３の突条２３ａに側板部材５ｂの溝１４を係合させて回り止めするとともに、回転軸２２に螺合された押さえねじ２４で側板部材５ａを押さえ込んで、側板部材５ａ、５ｂ間の間隔を狭め、胴部材２の胴径を拡径する。この状態で、釣糸Ａをリール（図示省略）から巻き取り、その末端を引掛具１３に引掛ける。この巻き取り後に、押さえねじ２４を緩めることにより、前記コイルばね６で付勢された側板部材５ａ、５ｂ間の間隔が広くなり、胴部材２の胴径が縮径して、巻き取られた釣糸Ａに緩みが生じる。
【００２４】
つぎに、前記釣糸Ａに緩みを生じさせた釣糸洗浄用スプール１を回転軸２２から取り外し、図７に示すように、水を満たした洗面器等の容器２５に入れることにより、緩ませた釣糸Ａ間に形成される隙間に水を通して、釣糸Ａを全長に亙って簡単に洗浄することができる。なお、釣糸Ａに緩みを生じさせた釣糸洗浄用スプール１にホース等で水を掛けることによっても、釣糸Ａを全長に亙って洗浄することができる。
【００２５】
図８は、前記釣糸Ａを洗浄した釣糸洗浄用スプール１を遠心脱水するときに用いる脱水カバー容器３１を示す。この脱水カバー容器３１は、樹脂製の薄膜シートで袋状に形成され、釣糸洗浄用スプール１を収納する開閉可能な収納口３２と、釣糸洗浄用スプール１の中心孔４に嵌挿される回転軸２２を通す貫通孔３３が設けられている。
【００２６】
図９は、前記脱水カバー容器３１を用いて釣糸Ａを洗浄した釣糸洗浄用スプール１を遠心脱水する状態を示す。脱水カバー容器３１に収納された釣糸洗浄用スプール１は、貫通孔３３に通したスプールスタンド２１の回転軸２２に中心孔４で嵌挿されている。この場合は、押さえねじ２４は一方の側板部材５ａを軽く押さえ付けるのみで、側板部材５ａ、５ｂ間の間隔を狭めることなく回転軸２２を回転させて、釣糸洗浄用スプール１を遠心脱水する。したがって、遠心脱水される水分が脱水カバー容器３１に集められ、その飛散が簡単に防止される。なお、遠心脱水が完了した釣糸洗浄用スプール１は、脱水カバー容器３１から取り出して、再びスプールスタンド２１の回転軸２２に取り付け、巻き取り時と同様に、押さえねじ２４で側板部材５ａを押さえ込んで胴部材２の胴径を拡径し、緩めた釣糸Ａを再び緊張させて空スプールやリールに巻き替えることができる。
【図面の簡単な説明】
【００２７】
【図１】釣糸洗浄用スプールの実施形態を示す分解斜視図
【図２】ａは図１の胴部材を拡径した状態を示す縦断面図、ｂはａの胴部材を縮径した状態を示す縦断面図
【図３】図１の胴部材を示す斜視図
【図４】ａは図１の一方の側板部材を示す縦断面図、ｂはａの内面側からの側面図
【図５】ａは図１の他方の側板部材を示す縦断面図、ｂはａの内面側からの側面図
【図６】図１の釣糸洗浄用スプールに使用後の釣糸を巻き取る状態を示す縦断面図
【図７】図６の釣糸洗浄用スプールに巻き取った釣糸を洗浄する状態を示す断面図
【図８】ａは図７の釣糸を洗浄した釣糸洗浄用スプールを脱水する脱水容器を示す正面図、ｂはａのVIII−VIII線に沿った断面図
【図９】図８の脱水容器を用いて釣糸を洗浄した釣糸洗浄用スプールを脱水する状態を示す縦断面図
【符号の説明】
【００２８】
１  釣糸洗浄用スプール
２  胴部材
２ａ  切り離し部
２ｂ  凹部
２ｃ  ばね座片
３  側板部
４  中心孔
５ａ、５ｂ  側板部材
６  コイルばね
７  周方向溝
７ａ  内径側側面
７ｂ  仕切り
８ａ、８ｂ  中心筒部
９  筒孔部
１０  ねじ軸
１１  ナット座
１２  ナット
１３  引掛具
１４  溝
１５ａ、１５ｂ  水切り孔
１６ａ、１６ｂ  ばね座
２１  スプールスタンド
２２  回転軸
２３  止め具
２３ａ  突条
２４  押さえねじ
２５  容器
３１  脱水カバー容器
３２  収納口
３３  貫通孔
【図１】
2010035467.tif 000003
【図２】
2010035467.tif 000004
【図３】
2010035467.tif 000005
【図４】
2010035467.tif 000006
【図５】
2010035467.tif 000007
【図６】
2010035467.tif 000008
【図７】
2010035467.tif 000009
【図８】
2010035467.tif 000010
【図９】
2010035467.tif 000011